(57)【要約】      （修正有）【課題】ネックレスの輪径を容易に変えられる機構を持ち合わせたペンダントに於いて、ペンダントの組み立て及び弾性体の管の着脱を容易にした構造とし、且つ、ペンダントをリバーシブルにて使用可能として装飾性に富んだ商品を提供する。【解決手段】上蓋部１と下蓋部８にて構成し、前記上蓋部は、器状フレームにて背面に開口部４を、側面周壁部３適宜位置には互いに対向する貫通した挿入孔５ａ，５ｂ，５ｃ，５ｄを有し、内面部には弾性体の管１１より径が小さいチェーンを通す孔を有する壁と壁とを平行に設置して上蓋部を形成、前記下蓋部は、裏面に前記壁との間に嵌り込む大きさの筒体２個１３を並して配置し、該筒体に弾性体の管を配して下蓋部を形成、上蓋部の開口部に下蓋部を嵌り込ませる様に配することによりペンダント本体を構成し、ネックレスチェーンを前記ペンダント本体に挿入することにより下蓋部が上蓋部から外れること無く使用可能とした。【選択図】図２
0003103648.tif 000002
【実用新案登録請求の範囲】
【請求項１】
装飾用ネックレスチェーン上を自由に摺動、且つ、任意の場所にて係止できることによりネックレスの輪径を容易に変える事が可能な機構を持ち合わせたペンダントに於いて、ペンダント本体２０は、上蓋部１と下蓋部８にて構成され、前記上蓋部１は、器状フレームにて背面に開口部４を、側面周壁部３の適宜位置には互いに対向する貫通した挿入孔５ａ、５ｂ、５ｃ、５ｄを有し、内面部には弾性体の管１１より径が小さいネックレスチェーン３０を通す孔７ａ、７ｂ、７ｃ、７ｄを有する壁６ａと６ｂとを平行に設置して上蓋部１を形成、前記下蓋部８は、裏面９に前記壁６ａと６ｂの間に嵌り込む大きさの筒体１３を２個、並して配置し、該筒体１３に弾性体の管１１を配して下蓋部８を形成し、上蓋部１の開口部４に下蓋部８を配してペンダント本体２０を構成し、ネックレスチェーン３０を上蓋部１の挿入孔５ａ、５ｂと、壁６ａの孔７ａ、７ｂと、双方の弾性体の管１１の貫通孔１２と、上蓋部の壁６ｂの孔７ｃ、７ｄと、挿入孔５ｃ、５ｄの順に挿入することにより、下蓋部８が上蓋部１から外れること無くネックレスチェーン３０と弾性体の管１１との摩擦により摺動、且つ、任意の場所にて係止できることを特徴とした輪径調節機構を有するペンダント。
【請求項２】
ペンダント本体２０のデザイン形状は自由に変えられることを特徴とした請求項１記載の輪径調節機構を有するペンダント。
【請求項３】
ペンダント本体２０の上蓋部の正面２、側面周壁部３、下蓋部８の表面１０のいずれか又は全ての面部に宝石１４を石留め、模様１６を施す又はいずれかを施すことを可能とした形状によりペンダント本体をリバーシブルにも使用可能としたことを特徴とした請求項２記載の輪径調節機構を有するペンダント。
【考案の詳細な説明】
【技術分野】
【０００１】
本考案は、ネックレスの輪体の大きさを容易に変えられる装飾用ペンダントに関するものである。
【背景技術】
【０００２】
従来、装飾チェーンの輪の大きさを自在に変えることができる構造の止め具（装飾体）として、挿入される装飾チェーンの直径より僅かに小さな孔が穿設された弾性力を有する材料で形成された筒体が止め具（装飾体）の背面に１ヶ〜２ヶ配置して装飾チェーンの所望位置に係止できる装飾用チェーンの止め具がある。（例えば特許文献１参照。）。
【０００３】
また、細長部材（鎖等）に設けた装飾部内に摩擦体を設け、この細長部材（鎖等）を摩擦体に接する状態で貫通させて、細長部材（鎖等）上の任意の位置で装飾部を位置決めする装飾体がある。（例えば特許文献２参照。）。
【０００４】
しかし、特許文献１記載の発明は、止め具となるペンダント背面に弾性力を有する材料で形成された筒体を配置する構成のため、背面からは筒体が丸見えで装身具としての見た目の悪さから今時の時勢としての装飾性に欠け、一般消費者に受け入れ難い欠点がある。
【０００５】
特許文献２記載の考案は、装飾部が１対のカップ型を合わせて形成する場合には、細長部材（鎖等）を挿入する孔を設けて内部に摩擦体を配し、互いにレーザー等で接合して一体化しているが、カップ型はレーザー接合であるためにレーザー痕の後処理が大変でコスト高であり、カップ型の内部に摩擦体をただ配しているため、前記貫通孔より細長部材（鎖等）を摩擦体に挿入することが大変難しい欠点が有り、最大の問題点は摩擦体が破損等により修理を必要とする場合は摩擦体の交換修理ができないという点である。
【０００６】
また、装飾部がムクの場合には、貫通孔を設けてその部分に摩擦体を配する方法で装飾部が構成されているが、貫通孔を設ける作業は技術的にも難しく、工数がかかる問題があった。
【特許文献１】特開平１０−２９５４２１号公報
【特許文献２】登録実用新案第３０４１８３６号公報
【考案の開示】
【考案が解決しようとする課題】
【０００７】
解決しようとする問題点は、前記事項を踏まえて弾性体の管の着脱、そして、ペンダント本体の組み立てを容易にした構造とし、弾性体の管が破損等の修理が発生した場合には容易に交換ができ、且つ、ペンダント本体をリバーシブルにて使用可能として装飾性に富んだ輪径調節機構を有するペンダントを提供することを目的とした。
【課題を解決するための手段】
【０００８】
本考案は前記目的を達成するため、ペンダント本体２０は、上蓋部１と下蓋部８にて構成され、前記上蓋部１は、器状フレームにて背面に開口部４を、側面周壁部３の適宜位置には互いに対向する貫通した挿入孔５ａ、５ｂ、５ｃ、５ｄを有し、内面部には弾性体の管１１より径が小さいネックレスチェーン３０を通す孔７ａ、７ｂ、７ｃ、７ｄを有する壁６ａと６ｂとを平行に設置して上蓋部１を形成、前記下蓋部８は、裏面９に前記壁６ａと６ｂの間に嵌り込む大きさの筒体１３を２個、並して配置し、該筒体１３に弾性体の管１１を配して下蓋部８を形成、そして、上蓋部１の開口部４から下蓋部８の筒体１３を上蓋部１の内面部に設けた壁６ａと壁６ｂの間に嵌り込ませる様に配してペンダント本体２０を構成し、ネックレスチェーン３０を上蓋部１の挿入孔５ａ、５ｂと、壁６ａの孔７ａ、７ｂと、双方の弾性体の管１１の貫通孔１２と、上蓋部の壁６ｂの孔７ｃ、７ｄと、挿入孔５ｃ、５ｄの順に挿入することにより、下蓋部８が上蓋部１から外れること無く、ネックレスチェーン３０と弾性体の管１１との摩擦によりペンダント本体２０を摺動、且つ、任意の場所にて係止できることを要旨とするものである。
【０００９】
本考案によれば、ネックレスチェーン３０の太さより径の小さい貫通孔１２を有する弾性体の管１１を用い、内面部には弾性体の管１１より径が小さいネックレスチェーン３０を通す孔７ａ、７ｂ、７ｃ、７ｄを有する壁６ａと６ｂとを平行に設置することにより、ネックレスチェーン３０と弾性体の管１１とを摩擦させてネックレスチェーン３０上を上下に摺動させても弾性体の管１１が壁６ａと６ｂにより筒体１３より抜け出ること無くペンダント本体２０を摺動させることができる。
【考案の効果】
【００１０】
本考案のペンダント本体２０を上蓋部１と下蓋部８にて構成して構造を単純にしたことにより、弾性体の管１１の着脱、そして、ペンダント本体２０の組み立てが容易になった。また、ネックレスチェーン３０をペンダント本体２０より引き抜くことで容易にペンダント本体２０の分解が可能となり、弾性体の管１１が破損等の修理が発生した場合の交換が容易になった。
【００１１】
また、ペンダント本体２０の上蓋部１の正面２、側面周壁部３、下蓋部８の表面１０に宝石１４を石留め、模様１６を施すことができる形状により、ペンダント本体２０をリバーシブルにも使用することが可能となり、趣味性及び装飾性に富んだ商品の提供が可能となった。
【考案を実施するための最良の形態】
【００１２】
以下、図面を用いて本考案の実施形態を詳細に説明する。図１は、本考案の輪径調節機構を有するペンダント本体の一実施例を示す斜視図であり、図２は、ペンダント本体の構成を示す概念図である。
【００１３】
図１に示すペンダント本体２０を構成する上蓋部１と下蓋部８の製造は、ロストワックス鋳造方法を用いて製作し、上蓋部１の側面周壁部３には模様１６を施し、正面２に宝石１４を石留めした。
【００１４】
図２（ａ）に示す上蓋部１は、開口部４から見た状態を示し、器状フレームにて背面に開口部４を、側面周壁部３の適宜位置には互いに対向する貫通したネックレスチェーン３０を通す挿入孔５ａ、５ｂ、５ｃ、５ｄを有し、内面部には弾性体の管１１より径が小さいネックレスチェーン３０を通す孔７ａ、７ｂ、を有する壁６ａと、７ｃ、７ｄを有する壁６ｂを平行に設置して上蓋部１を形成させた。
【００１５】
図２（ｂ）は、上蓋部１の正面２から見た状態を示し、図２（ｃ）は、下蓋部８の裏面９に上蓋部１の壁６ａと壁６ｂの間に嵌り込む大きさの筒体１３を２個、並して配置し、該筒体１３に弾性体の管１１を配して下蓋部８を形成した。
【００１６】
図２（ｂ）の上蓋部１を、図２（ｃ）の下蓋部８の筒体１３に弾性体の管１１を配し、上蓋部１の開口部４から下蓋部８の筒体１３を上蓋部１の内面部に設けた壁６ａと壁６ｂの間に嵌り込ませる様に配することによりペンダント本体２０を構成させることができる。
【００１７】
筒体１３の製作に際してはロストワックス製法にて下蓋部８と一体、もしくは、下蓋部８と筒体１３を別個に製作してロウ付けにて下蓋部と一体にしても良い。また、下蓋部８に板材を用いて抜き型にて製作し、筒体１３はパイプ材を用いて任意の長さに２個切断し、ロウ付けにて下蓋部８と一体にしても良い。なお、本考案は前記に記述した下蓋部８、筒体１３の各製作方法の組み合わせも可能である。
【００１８】
弾性体の管１１は、弾性材に貫通孔１２を有する物で有れば特に限定するものではなく、例えばシリコンチューブ、ゴム管等を用いても良く、留意事項として、ネックレスチェーン３０の太さより径の小さい貫通孔１２を有する弾性体の管１１を用いることで、ネックレスチェーン３０と弾性体の管１１との摩擦抵抗によりペンダント本体２０を摺動、且つ、任意の場所にて係止が可能となる。
【００１９】
以下、請求項２、３に係わる一実施形態を図面を用いて詳細に説明する。図３は、請求項２に記述のペンダント本体２０をロストワックス製法にてデザイン形状をハート形にして、ペンダント本体２０を背面から下蓋部８を上蓋部１に組み込んだ状態を一部断面にて示す斜視図であり、請求項３に係わる一実施形態は図３で示し、図４は、図３のペンダント本体２０の構成を示す概念図を示す。
【００２０】
図４（ａ）の上蓋部１は、器状フレームにて背面に開口部４を、側面周壁部３の適宜位置には互いに対向する貫通した挿入孔５ａ、５ｂ、５ｃ、５ｄ（未表示）を有し、そして、宝石１４を石留めした。内面部には弾性体の管１１より径が小さいネックレスチェーン３０を通す孔７ａ、７ｂ、を有する壁６ａと、孔７ｃ、７ｄを有する分離させた壁６ｂとを互いに平行に設置して上蓋部１を形成した。
【００２１】
図４（ｂ）は、上蓋部８の正面２に模様１６を施し、そして、宝石１４を石留めした状態を示し、図４（ｃ）は、下蓋部８の裏面９に上蓋部１の壁６ａと壁６ｂの間に嵌り込む大きさの筒体１３を２個配置し、下蓋部８の表面１０に宝石１４を石留めし、（裏面９からは宝石のキューレット１５が見える状態を示す）前記筒体１３に弾性体の管１１を配して下蓋部８を形成した。下蓋部８及び筒体１３の製作、また、弾性体の管１１は、図２（ｃ）を用いて記述した事項とする。
【００２２】
図４を踏まえて図３は、下蓋部８の筒体１３を上蓋部１の内面部に設けた壁６ａと６ｂの間に嵌り込ませてペンダント本体２０を構成したことを示し、２分割されたネックレスチェーン３０の双方の一端を上蓋部１の挿入孔５ａ、５ｂと、壁６ａの孔７ａ、７ｂと、下蓋部８の双方の弾性体の管１１の貫通孔１２と、上蓋部１の壁６ｂの孔７ｃ、７ｄと、上蓋部１の挿入孔５ｃ、５ｄの順に挿入することにより、下蓋部８が上蓋部１から外れること無く、ネックレスチェーン３０と弾性体の管１１との摩擦によりペンダント本体２０を摺動、且つ、任意の場所にて係止できる。
【００２３】
図５は、輪径調節機構を有するペンダント本体２０の仕様を変えてネックレスチェーン３０に取り付けた一実施例を示す全体図で、図３を用いて記述した前記ペンダント本体２０を貫通した２分割されたネックレスチェーン３０の双方の一端には、あらかじめチェーン抜け防止飾りパーツ３４を接続、そして、もう一端の双方には連結環３３を介して引輪３１と引輪連結プレート３２を連結、引輪３１と引輪連結プレート３２を連結することでネックレスの輪を形成し、ペンダント本体２０を摺動させて任意の場所にて係止させることによりネックレスの輪径を容易に変える事ができる。
【００２４】
弾性体の管１１の交換を行う場合は、ネックレスチェーン３０の双方の一端に接続環３３を介して取り付けてある引輪３１と引輪連結プレート３２を取り外して、ネックレスチェーン３０をペンダント本体２０より引き抜くことで、下蓋部８が上蓋部１から外れ、弾性体の管１１を筒体１３より容易に取り外すことができる。
【図面の簡単な説明】
【００２５】
【図１】本考案の輪径調節機構を有するペンダント本体の一実施例を示す斜視図である。
【図２】本考案の輪径調節機構を有するペンダント本体の構成を示す概念図である。
【図３】本考案の輪径調節機構を有するペンダント本体の一実施例を下蓋部から一部断面にて示す斜視図で有る。
【図４】図３のペンダント本体の構成を示す概念図である。
【図５】本考案の輪径調節機構を有するペンダント本体をネックレスチェーンに取り付けた一実施例を示す全体図である。
【符号の説明】
【００２６】
１    上蓋部
２    正面
３    側面周壁部
４    開口部
５ａ  挿入孔
５ｂ  挿入孔
５ｃ  挿入孔
５ｄ  挿入孔
６ａ  壁
６ｂ  壁
７ａ  孔
７ｂ  孔
７ｃ  孔
７ｄ  孔      
８    下蓋部
９    裏面
１０    表面
１１    弾性体の管
１２    貫通孔
１３    筒体
１４    宝石
１５    宝石のキューレット
１６    模様
２０    ペンダント本体
３０    ネックレスチェーン
３１    引輪
３２    引輪連結プレート
３３    連結環
３４    チェーン抜け防止飾りパーツ
【図１】
0003103648.tif 000003
【図２】
0003103648.tif 000004
【図３】
0003103648.tif 000005
【図４】
0003103648.tif 000006
【図５】
0003103648.tif 000007